(57)【特許請求の範囲】
【請求項１】
ゴルフボールの大きさよりも幅が狭くなるようにパターのヘッドのフェース面よりも幅を狭くした帯状薄板材をコ字状に折り曲げることにより形成した係止板を有し、
上記係止板は、
上記ヘッドの上部に配置され、前後方向に延長する水平板部と、
上記水平板部の前端から下方に延長することにより、上記ヘッドの上記フェース面に当接する前方板部と、
上記水平板部の後端から下方に延長することにより、上記ヘッドの背面側に配置され、所定の保持手段を有する後方板部と
を具え、
上記保持手段によって上記ヘッドの背面を押圧することにより、ゴルフボールの大きさよりも幅が狭くなるように上記フェース面よりも幅を狭くした帯状薄板材をコ字状に折り曲げて形成した上記係止板の上記前方板部を、当該前方板部の幅の分だけ上記フェース面の一部を覆うと共に厚みの分だけ当該フェース面から突出するようにして上記フェース面の所定位置に保持させる
ことを特徴とするパッティング練習器具。
【請求項２】
長方形状でなる方向指示板
を有し、
上記方向指示板は、その長辺方向に延長する方向指示板中心線が上記水平板部の上記前後方向に延長する水平板部中心線と一致し、且つ、その後方部分が上記水平板部の後方に突き出すようにして、上記水平板部に設けられる
ことを特徴とする請求項１に記載のパッティング練習器具。
【請求項３】
上記方向指示板には、上記方向指示板中心線を中心として複数のゴルフボールマークが連接するように設けられる
ことを特徴とする請求項２に記載のパッティング練習器具。
【請求項４】
上記方向指示板を上記係止板の上記前方板部から所定距離離れるようにして上記水平板部に設けることにより、上記水平板部の上記前方板部側に露出部を設けた
ことを特徴とする請求項２に記載のパッティング練習器具。
【発明の詳細な説明】
【０００１】
【発明の属する技術分野】
本発明はパッティング練習器具に関し、特にゴルフのパッティング練習を行う際に適用して好適なものである。
【０００２】
【従来の技術】
グリーン上に設けられたカップにゴルフボールを少ない打数で到達させるためには、パターによってゴルフボールを打つ技術、すなわちパッティング技術を向上させることが重要である。
【０００３】
【発明が解決しようとする課題】
ところで従来、パッティング技術を向上させることを目的として、グリーン上に設けられたカップ等の目標位置に向ってゴルフボールを繰返し打たせるパッティング練習が広く行われているが、このようなパッティング練習では、練習者に対してゴルフボールの行方ばかりに気を取らせてしまうことにより、ゴルフボールをパターのヘッドにおけるフェース面で適切に打つべきことを意識させ難い。
【０００４】
かくして、パターの構え方、スウィングの不安定さや乱雑さ等の問題点を改善させることができず、パッティング技術を向上させることが困難であった。
【０００５】
本発明は以上の点を考慮してなされたもので、パッティング技術を格段と向上させ得るパッティング練習器具を提案しようとするものである。
【０００６】
【課題を解決するための手段】
かかる課題を解決するため本発明においては、ゴルフボールＧＢの大きさよりも幅が狭くなるようにパターＰＴのヘッドＨＤのフェース面ＳＦよりも幅を狭くした帯状薄板材をコ字状に折り曲げることにより形成した係止板４を有し、係止板４は、ヘッドＨＤの上部に配置され、前後方向に延長する水平板部４Ａと、水平板部４Ａの前端から下方に延長することにより、ヘッドＨＤのフェース面ＳＦに当接する前方板部４Ｂと、水平板部４Ａの後端から下方に延長することにより、ヘッドＨＤの背面側に配置され、所定の保持手段５を有する後方板部４Ｃとを備え、保持手段５によってヘッドＨＤの背面を押圧することにより、ゴルフボールＧＢの大きさよりも幅が狭くなるようにフェース面ＳＦよりも幅を狭くした帯状薄板材をコ字状に折り曲げて形成した係止板４の前方板部４Ｂを、当該前方板部４Ｂの幅の分だけフェース面ＳＦの一部を覆うと共に厚みの分だけ当該フェース面ＳＦから突出するようにしてフェース面ＳＦの所定位置に保持させる。
【０００７】
この結果、幅の分だけフェース面ＳＦの一部を覆うと共に厚みの分だけフェース面ＳＦから突出するようにしてフェース面ＳＦの所定位置に保持された前方板部４Ｂにより、ゴルフボールＧＢがフェース面ＳＦ上の所定位置に当たったか否かをゴルフボールＧＢの打出し方向によって簡易に判定することができる。また、前方板部４Ｂを、ゴルフボールＧＢの大きさよりも幅が狭くなるようにパターＰＴのヘッドＨＤのフェース面ＳＦよりも幅を狭くした帯状薄板材をコ字状に折り曲げることにより形成した係止板４の一部としたことにより、フェース面ＳＦの大きさに対する前方板部４Ｂの大きさをより小さくすることができるので、前方板部４Ｂをフェース面ＳＦに取り付けてパッティングした場合と取り外してパッティングした場合との感覚の違いをより小さくすることができる。
【０００８】
【発明の実施の形態】
以下図面について、本発明の一実施の形態を詳述する。
【０００９】
図１において、１は全体としてパッティング練習器具を示し、当該パッティング練習器具１は、パターのヘッドに対して着脱自在に装着されるための装着部２と、塩化ビニルやその他プラスチック部材でなる長方形状の方向指示板３とによって構成されている。
【００１０】
装着部２は、例えばジュラルミン等の金属材料でなる幅８[mm]及び厚さ３[mm]の板材をコ字状に折り曲げた形状でなる係止板部材４と、前端及び後端にそれぞれ当接片５Ａ及び回転つまみ５Ｂが設けられた保持用ねじ５とを有する。
【００１１】
係止板部材４は、前後方向に延長する水平板部４Ａの前端及び後端から互いに平行に垂直方向下方に延長する前方垂直板部４Ｂ及び後方垂直板部４Ｃを有し、後方垂直板部４Ｃを貫通して水平方向に穿設されたねじ孔４Ｄに、後方から保持用ねじ５がねじ込まれ、これにより保持用ねじ５が回転つまみ５Ｂによって回転操作されたとき、前方端面に設けられた当接片５Ａが前方垂直板部４Ｂの背面と対向しながら、前後方向に進退できるように構成されている。
【００１２】
方向指示板３は、短辺方向のほぼ中央位置において長辺方向に延長する中心線Ｌ１が係止板部材４の前後方向に延長する水平板部４Ａの中心線Ｌ２上に一致し且つ後方部分が水平板部４Ａの後方へ突き出すようにして、当該係止板部材４の水平板部４Ａ上に接着剤によって接着され、これにより方向指示板３の中心線Ｌ１が、係止板部材４の前方垂直板部４Ｂの垂直方向の中心線Ｌ３と直交し、且つ後方に延長するように構成されている。
【００１３】
この実施の形態の場合、方向指示板３の表面には、その中心線Ｌ１を中心として３つのゴルフボールマークＭ１、Ｍ２及びＭ３を互いに連接して表示させるようにゴルフボールマークシール３Ａが貼り付けられており、これによりゴルフボールマークＭ１、Ｍ２及びＭ３の連接する方向が、前方垂直板部４Ｂの中心線Ｌ３と直交して後方に延長する方向指示板３の中心線Ｌ１を示すようになされている。
【００１４】
以上の構成において、装着部２は、図２及び図３に示すように、例えば、係止板部材４の前方垂直板部４Ｂの中心線Ｌ３がパターＰＴのヘッドＨＤにおけるスイートスポットマークＳＰと一致するようにしてヘッドＨＤに取り付けられる。
【００１５】
このとき係止板部材４は、回転つまみ５Ｂがねじを緩める方向に回転操作されることにより当接片５Ａが後退している状態において、コ字状部がヘッドＨＤを前後方向に跨ぐように位置決めされ、回転つまみ５Ｂがねじ込む方向に回転されることにより、当接片５ＡがヘッドＨＤの背面ＢＦに当接した取付状態になる。
【００１６】
この取付状態において、係止板部材４の前方垂直板部４Ｂの背面がヘッドＨＤのフェース面ＳＦに当接することにより、当該ヘッドＨＤを前方垂直板部４Ｂと当接片５Ａとによって狭着保持し、これにより前方垂直板部４Ｂの表面を、その中心線Ｌ３がスイートスポットマークＳＰに位置合わせされ且つ前方垂直板部４Ｂの厚みの分だけ突出させた状態で保持できる。
【００１７】
この実施の形態の場合、前方垂直板部４Ｂの背面には、ゴム等の弾性材料からなる板状の保護部材６（図３）が例えば接着剤によって接着されていると共に、保持用ねじ５の前端に設けられた当接片５Ａはプラスチック部材等でなることにより、パターＰＴのヘッドＨＤが前方垂直板部４Ｂと当接片５Ａとによって狭着保持されたとき、ヘッドＨＤのフェース面ＳＦ及び当該ヘッドＨＤの背面ＢＦに対して傷を付けないようになされている。
【００１８】
またこの実施の形態の場合、当接片５Ａには、図４に示すように、保持用ねじ５の先端部分に形成された連結部５Ｃと首振り自在に連結するための連結孔５Ａ１が形成されており、これにより当接片５Ａが保持用ねじ５の先端において様々な方向に傾き得ることにより、図３に示すように、ヘッドＨＤの背面ＢＦが傾いている場合であっても、当接片５Ａを確実に背面ＢＦに当接保持できるようになされている。
【００１９】
かくして、図２に示すように、パッティング練習器具１をパターＰＴのヘッドＨＤに取付けた状態において、図５（Ａ）に示すように、練習者がパターＰＴによりゴルフボールＧＢを矢印ａ０で示すようにフェース面ＳＦと垂直な方向に打つ練習をするとき、ゴルフボールＧＢが前方垂直板部４Ｂの表面における中心線Ｌ３上部分又はその近傍部分に当たると、ゴルフボールＧＢは前方垂直板部４Ｂの平坦な表面部分（パターＰＴのフェース面ＳＦとほぼ平行な面部分）に当たる状態となる。このときゴルフボールＧＢは、パターＰＴが動く方向（矢印ａ０で示す方向）と同じ方向（矢印ａ１で示す方向）に打出され、これによりゴルフボールＧＢがスイートスポットＳＰに当たったことが分かる。
【００２０】
これに対して、図５（Ｂ）に示すように、ゴルフボールＧＢが前方垂直板部４Ｂの表面における中心線Ｌ３上部分及びその近傍部分から外側にずれた位置に当たると、前方垂直板部４Ｂの表面の外側部分及びパターＰＴのフェース面ＳＦの両方に当たる状態になる。このときゴルフボールＧＢは、パターＰＴが動く方向（矢印ａ０で示す方向）とは一致しない異なる方向（矢印ａ２で示す方向）に打出され、これによりゴルフボールＧＢがスイートスポットＳＰに当たらなかったことが分かる。
【００２１】
以上の構成によれば、パターＰＴのフェース面ＳＦ上に前方垂直板部４Ｂを固定するようにしたことにより、ゴルフボールＧＢがフェース面ＳＦ上の所定位置に当たったか否かをゴルフボールＧＢの打出し方向によって簡易に判定することができ、これにより練習者に対して正しい打ち方をするように強く意識させることができる。
【００２２】
かくするにつき、方向指示板３を、その中心線Ｌ１が係止板部材４の前方垂直板部４Ｂにおける中心線Ｌ３と直交すると共に係止板部材４の水平板部４Ａにおける中心線Ｌ２上に一致した状態とし、且つ後方部分が水平板部４Ａの後方へ突き出すようにして、係止板部材４の水平板部４Ａ上に固定したことにより、練習者は単純に方向指示板３の長手方向、すなわち中心線Ｌ１の方向（この実施の形態の場合、３つのゴルフボールマークＭ１、Ｍ２及びＭ３の連接する方向）にパターＰＴを引くと共に、その逆の方向に打出せば良いことにより、練習者に対してパターＰＴを動かすべき方向を視覚的に認識させることができる。
【００２３】
なお、図６に示すように、３つのゴルフボールマークＭ１、Ｍ２及びＭ３が、方向指示板３の表面の黒色に対して際立つ白色でなることにより、練習者に対して実際のゴルフボールＧＢの形状を直感的に連想させることができ、これにより３つのゴルフボールマークＭ１、Ｍ２及びＭ３とゴルフボールＧＢとが一列に配列される状態（方向指示板３の中心線Ｌ１上にゴルフボールＧＢの中心Ｏが位置する状態）、すなわちゴルフボールＧＢが前方垂直板部４Ｂの表面における中心線Ｌ３上部分又はその近傍部分に当たる状態で、パターＰＴを容易に構えさせることができる。
【００２４】
また、このパッティング練習器具１においては、図６に示すように、方向指示板３の接着位置を、係止板部材４の水平板部４Ａの前端から例えば1.3[mm]離れた位置に選定することにより、当該係止板部材４の水平板部４Ａ上に方向指示板３によって覆われることのない露出部４Ａ１を設けることができ、かくしてパターＰＴのヘッドＨＤの上部から幅８[mm]でなる水平板部４Ａの露出部４Ａ１を練習者に対して視認させることができる。これにより、ゴルフボールＧＢを当てるべき前方垂直板部４Ｂの位置を容易に認識させることができる。
【００２５】
さらに、図６に示すように、方向指示板３の表面先頭位置に、白色且つ帯状のフェースラインシール６を方向指示板３の中心線Ｌ１と直交させて形成することにより、パッティング練習器具１が装着されたパターＰＴを把持する練習者に対して、フェース面ＳＦの向いている方向を容易に視認させることができる。
【００２６】
なお、このパッティング練習器具１においては、例えば図７に示すように、横幅変換パーツ２１の中空部２１Ａを、係止板部材４の前方垂直板部４Ｂの下方から当該前方垂直板部４Ｂに対して嵌め合わせることにより、前方垂直板部４Ｂの表面の横幅を拡大し得るようになされている。これにより、練習者のパッティング技術のレベルや習熟度に応じて、前方垂直板部４Ｂの表面の横幅を簡易な構成で調節することができる。
【００２７】
また上述の実施の形態においては、３つのゴルフボールマークＭ１、Ｍ２及びＭ３の連接方向によって、方向指示板３の中心線Ｌ１を示すようにしたが、本発明はこれに限らず、例えば図８（図２との対応部分に同一符号を付して示す）に示すように、長方形状でなる方向指示マーク３０を当該方向指示マーク３０の長手方向と係止板部材４の中心線Ｌ２とを平行にするようにして方向指示板３の上面に形成し、当該方向指示マーク３０によって方向指示板３の中心線Ｌ１を示すようにしたり、この他種々の形状からなる方向指示手段によってフェース面ＳＦの垂直方向を指し示すようにしても良い。
【００２８】
さらに上述の実施の形態においては、係止板部材４の後端から垂直方向下方に延長するようにして後方垂直板部４Ｃを形成し、当該形成した後方垂直板部４Ｃに保持用ねじ５を設ける場合について述べたが、本発明はこれに限らず、例えば図９（図２との対応部分に同一符号を付して示す）に示すように、係止板部材４の後端から垂直方向下方に延長するようにして円柱形状でなるカム回転軸４０を形成し、当該形成したカム回転軸４０にカム４１を設けるようにしても良い。これにより、カム回転軸４０を回転軸としてカム４１を回転させることにより、当該カム４１の側面４１Ａと係止板部材４の前方垂直板部４Ｂとによって、パターＰＴのヘッドＨＤを狭着保持し得、かくしてフェース面ＳＦ上の所定位置に前方垂直板部４Ｂを保持させることができる。
【００２９】
【発明の効果】
上述のように本発明によれば、幅の分だけフェース面ＳＦの一部を覆うと共に厚みの分だけフェース面ＳＦから突出するようにしてフェース面ＳＦの所定位置に保持された前方板部４Ｂにより、ゴルフボールＧＢがフェース面ＳＦ上の所定位置に当たったか否かをゴルフボールＧＢの打出し方向によって簡易に判定することができ、また、前方板部４Ｂを、ゴルフボールＧＢの大きさよりも幅が狭くなるようにパターＰＴのヘッドＨＤのフェース面ＳＦよりも幅を狭くした帯状薄板材をコ字状に折り曲げることにより形成した係止板４の一部としたことにより、フェース面ＳＦの大きさに対する前方板部４Ｂの大きさをより小さくすることができるので、前方板部４Ｂをフェース面ＳＦに取り付けてパッティングした場合と取り外してパッティングした場合との感覚の違いをより小さくすることができ、これにより練習者に対して実際のプレイ時に一段と近い感覚で正しい打ち方をするように強く意識させることができる。この結果、練習者のパッティング技術を格段と向上させることができる。
【図面の簡単な説明】
【図１】本発明によるパッティング練習器具の全体構成を示す略線図である。
【図２】パッティング練習器具が装着された様子を示す略線図である。
【図３】側面構成を示す略線図である。
【図４】当接片の構造を示す略線図である。
【図５】ゴルフボールが打撃された様子を示す略線図である。
【図６】上面構成を示す略線図である。
【図７】他の実施の形態（１）を示す略線図である。
【図８】他の実施の形態（２）を示す略線図である。
【図９】他の実施の形態（３）を示す略線図である。
【符号の説明】
１……パッティング練習器具、２……装着部、３……方向指示板、４……係止板部材、４Ａ１……露出部、５……保持用ねじ、５Ａ……当接片、Ｍ１〜Ｍ３……ゴルフボールマーク。
【図１】
0003750080.tif 000002
【図２】
0003750080.tif 000003
【図３】
0003750080.tif 000004
【図４】
0003750080.tif 000005
【図５】
0003750080.tif 000006
【図６】
0003750080.tif 000007
【図７】
0003750080.tif 000008
【図８】
0003750080.tif 000009
【図９】
0003750080.tif 000010